(57)【要約】【課題】デジタル放送受信装置で受信された緊急連絡情報を外出中のユーザに通知するとともに、当該ユーザの現在状況を把握することを可能とする。【解決手段】デジタル放送受信装置１０では、予めデジタル放送受信装置１０において緊急連絡情報として通知すべき情報の種類と通知対象のユーザ情報とが記憶され、受信される放送信号に緊急連絡情報が含まれている場合、当該緊急連絡情報を通知する緊急連絡メールが作成されて各ユーザの携帯端末５０ａ〜５０ｃに送信される。そして、携帯端末５０ａ〜５０ｃからユーザの現在位置情報を含む返信メールが受信されると、当該返信メールに基づいてユーザの現在状況を示す情報が表示部に表示される。【選択図】図１
2005198079.tif 000002
【特許請求の範囲】
【請求項１】
緊急連絡情報を通知すべきユーザが携帯する携帯端末のアドレス情報を記憶する連絡ユーザ記憶手段と、
デジタル放送の放送信号を受信する放送信号受信手段と、
前記受信された放送信号に緊急連絡情報が含まれる場合、前記連絡ユーザ記憶手段に記憶されたユーザ宛に緊急連絡情報を通知する緊急連絡メールを作成するメール作成手段と、
前記連絡ユーザ記憶手段に記憶されたアドレス情報に基づいて、前記作成された緊急連絡メールをユーザの携帯端末に送信し、当該ユーザの現在状況を通知する返信メールをユーザの携帯端末から受信する通信手段と、
前記受信された返信メールに基づいて、各ユーザの現在状況を報知する報知手段と、
を備えることを特徴とするデジタル放送受信装置。
【請求項２】
前記連絡ユーザ記憶手段は、ユーザ毎に通知すべき緊急連絡情報の種類が登録された通知登録情報を記憶し、
前記メール作成手段は、前記通知登録情報に基づき、受信された緊急連絡情報の種類に応じて当該緊急連絡情報を通知すべきユーザを決定し、当該決定されたユーザ宛の緊急連絡メールを作成することを特徴とする請求項１に記載のデジタル放送受信装置。
【請求項３】
前記返信メールには、ユーザの現在位置情報及びユーザによる緊急連絡メールの確認操作の有無を示す確認情報が含まれ、
前記報知手段は、返信メールに基づき、各ユーザの現在状況としてユーザの現在位置情報及び確認情報を報知することを特徴とする請求項１又は２に記載のデジタル放送受信装置。
【請求項４】
緊急連絡メールを送信可能なデジタル放送受信装置と通信接続された携帯端末において、
デジタル放送受信装置から緊急連絡メールが受信されると、自らの現在位置情報を取得する位置情報取得手段と、
前記取得された現在位置情報を含む返信メールを作成するメール作成手段と、
前記デジタル放送受信装置から緊急連絡メールを受信し、前記メール作成手段により作成された返信メールをデジタル放送受信装置に送信する通信手段と、
を備えることを特徴とする携帯端末。
【請求項５】
前記メール作成手段は、ユーザによる緊急連絡メールの確認操作が一定時間内になされない場合、少なくとも現在位置情報を含む返信メールを自動作成することを特徴とする請求項４に記載の携帯端末。
【請求項６】
前記メール作成手段は、現在位置情報に加えて、ユーザによる緊急連絡メールの確認操作の有無を示す確認情報を含む返信メールを作成することを特徴とする請求項４又は５に記載の携帯端末。
【請求項７】
デジタル放送受信装置とユーザの携帯端末とが通信接続された緊急連絡システムにおいて、
前記デジタル放送受信装置は、
緊急連絡情報を通知すべきユーザが携帯する携帯端末のアドレス情報を記憶する連絡ユーザ記憶手段と、
デジタル放送の放送信号を受信する放送信号受信手段と、
前記受信された放送信号に緊急連絡情報が含まれる場合、前記連絡ユーザ記憶手段に記憶されたユーザ宛に緊急連絡情報を通知する緊急連絡メールを作成するメール作成手段と、
前記連絡ユーザ記憶手段に記憶されたアドレス情報に基づいて、前記作成された緊急連絡メールをユーザの携帯端末に送信し、当該ユーザの現在状況を通知する返信メールをユーザの携帯端末から受信する通信手段と、
前記受信された返信メールに基づいて、各ユーザの現在状況を報知する報知手段と、を備え、
前記携帯端末は、
デジタル放送受信装置から緊急連絡メールが受信されると、自らの現在位置情報を取得する位置情報取得手段と、
前記取得された現在位置情報を含む返信メールを作成するメール作成手段と、
前記デジタル放送受信装置から緊急連絡メールを受信し、前記メール作成手段により作成された返信メールをデジタル放送受信装置に送信する通信手段と、
を備えることを特徴とする緊急連絡システム。
【請求項８】
前記デジタル放送受信装置において、
前記連絡ユーザ記憶手段は、ユーザ毎に通知すべき緊急連絡情報の種類が登録された通知登録情報を記憶し、
前記メール作成手段は、前記通知登録情報に基づき、受信された緊急連絡情報の種類に応じて当該緊急連絡情報を通知すべきユーザを決定し、当該決定されたユーザ宛の緊急連絡メールを作成することを特徴とする請求項７に記載の緊急連絡システム。
【請求項９】
前記携帯端末のメール作成手段は、ユーザによる緊急連絡メールの確認操作が一定時間内になされない場合、少なくとも現在位置情報を含む返信メールを自動作成することを特徴とする請求項７又は８に記載の緊急連絡システム。
【請求項１０】
前記携帯端末のメール作成手段は、現在位置情報に加えて、ユーザによる緊急連絡メールの確認操作の有無を示す確認情報を含む返信メールを作成することを特徴とする請求項７〜９の何れか一項に記載の緊急連絡システム。
【請求項１１】
前記デジタル放送受信装置において、
前記返信メールには、ユーザの現在位置情報及びユーザによる緊急連絡メールの確認操作の有無を示す確認情報が含まれ、
前記報知手段は、返信メールに基づき、各ユーザの現在状況としてユーザの現在位置情報及び確認情報を報知することを特徴とする請求項７〜１０の何れか一項に記載の緊急連絡システム。
【発明の詳細な説明】
【技術分野】
【０００１】
本発明は、デジタル放送の放送信号を受信するデジタル放送受信装置、デジタル放送受信装置と電子メールの送受信が可能な携帯端末、デジタル放送受信装置で受信された緊急連絡情報をユーザの携帯端末に通知する緊急連絡システムに関する。
【背景技術】
【０００２】
近年、テレビ放送においては、地上波のアナログ放送に代えて通信衛星（ＣＳ；Communications Satellite）や放送衛星（ＢＳ；Broadcast Satellite）を介してデジタル信号を伝送するデジタル放送や、地上波のデジタル放送等が展開されている。
【０００３】
地上波のデジタル放送では、チャンネル帯域幅の６ＭＨｚを１４分割し、そのうち１２のセグメントをさらに２分割又は３分割して映像の画像データや音声データに使用することによりマルチ編成放送が可能となる。また、放送する番組等の映像データ及び音声データ（以下、放送データという）とともに、放送する番組や放送時間に関する電子番組ガイド情報（ＥＰＧ；Electriacal Program Guide）や天気予報情報、ニュース情報、野球やサッカーの試合経過情報等の各種マルチメディア情報を伝送することができる。
【０００４】
また、地震や火災等を警報する緊急警報放送（以下、ＥＷＳ；Emergency Warning Systemという）を受信すると、デジタル放送受信装置がスタンバイ状態であっても自動的に起動させてＥＷＳの映像や音声を出力することができるものも開発されている。さらに、ＥＷＳの放送信号を受信すると、その音声データを記憶し、予め登録されているユーザの電話機に自動接続して記憶されたＥＷＳの音声データを伝送するシステムが開発されている（例えば、特許文献１参照）。
【特許文献１】特開平６−２８５９１号公報
【発明の開示】
【発明が解決しようとする課題】
【０００５】
しかしながら、上記特許文献１に記載の技術では、一方的に登録されたユーザの電話機に発信をして緊急警報放送の音声データを送信するのみであり、電話機側のユーザは緊急警報情報を知ることはできるが、デジタル放送受信装置側で緊急警報放送を視聴しているユーザにはその電話機側のユーザの現在状況が把握できない。また、緊急警報放送だけでなく、ニュース情報や気象情報による大雨警報等の各種情報を緊急連絡したい場合がある。
【０００６】
本発明の課題は、デジタル放送受信装置で受信された緊急連絡情報を外出中のユーザに通知するとともに、当該ユーザの現在状況を把握することを可能とすることである。
【課題を解決するための手段】
【０００７】
請求項１に記載の発明は、デジタル放送受信装置において、
緊急連絡情報を通知すべきユーザが携帯する携帯端末のアドレス情報を記憶する連絡ユーザ記憶手段と、
デジタル放送の放送信号を受信する放送信号受信手段と、
前記受信された放送信号に緊急連絡情報が含まれる場合、前記連絡ユーザ記憶手段に記憶されたユーザ宛に緊急連絡情報を通知する緊急連絡メールを作成するメール作成手段と、
前記連絡ユーザ記憶手段に記憶されたアドレス情報に基づいて、前記作成された緊急連絡メールをユーザの携帯端末に送信し、当該ユーザの現在状況を通知する返信メールをユーザの携帯端末から受信する通信手段と、
前記受信された返信メールに基づいて、各ユーザの現在状況を報知する報知手段と、
を備えることを特徴とする。
【０００８】
請求項４に記載の発明は、
緊急連絡メールを送信可能なデジタル放送受信装置と通信接続された携帯端末において、
デジタル放送受信装置から緊急連絡メールが受信されると、自らの現在位置情報を取得する位置情報取得手段と、
前記取得された現在位置情報を含む返信メールを作成するメール作成手段と、
前記デジタル放送受信装置から緊急連絡メールを受信し、前記メール作成手段により作成された返信メールをデジタル放送受信装置に送信する通信手段と、
を備えることを特徴とする。
【０００９】
請求項７に記載の発明は、
デジタル放送受信装置とユーザの携帯端末とが通信接続された緊急連絡システムにおいて、
前記デジタル放送受信装置は、
緊急連絡情報を通知すべきユーザが携帯する携帯端末のアドレス情報を記憶する連絡ユーザ記憶手段と、
デジタル放送の放送信号を受信する放送信号受信手段と、
前記受信された放送信号に緊急連絡情報が含まれる場合、前記連絡ユーザ記憶手段に記憶されたユーザ宛に緊急連絡情報を通知する緊急連絡メールを作成するメール作成手段と、
前記連絡ユーザ記憶手段に記憶されたアドレス情報に基づいて、前記作成された緊急連絡メールをユーザの携帯端末に送信し、当該ユーザの現在状況を通知する返信メールをユーザの携帯端末から受信する通信手段と、
前記受信された返信メールに基づいて、各ユーザの現在状況を報知する報知手段と、を備え、
前記携帯端末は、
デジタル放送受信装置から緊急連絡メールが受信されると、自らの現在位置情報を取得する位置情報取得手段と、
前記取得された現在位置情報を含む返信メールを作成するメール作成手段と、
前記デジタル放送受信装置から緊急連絡メールを受信し、前記メール作成手段により作成された返信メールをデジタル放送受信装置に送信する通信手段と、
を備えることを特徴とする。
【発明の効果】
【００１０】
請求項１、７に記載の発明によれば、緊急連絡情報を通知する緊急連絡メールを作成して予め記憶されたユーザの携帯端末に送信するので、ユーザが移動中であってもデジタル放送受信装置で受信された緊急連絡情報を各ユーザに通知することができる。また、緊急連絡メールが送信されたユーザの携帯端末からの返信メールに基づいてそのユーザの現在状況を報知するので、デジタル放送受信装置の視聴者も、各ユーザの現在状況を確認することができる。
【００１１】
請求項２、８に記載の発明によれば、どのユーザにどの緊急連絡情報を通知すべきかが登録された通知登録情報に基づいて、緊急連絡メールの宛先を決定するので、予めユーザ毎に必要な緊急連絡情報を登録しておくことにより、携帯端末側のユーザは必要な緊急連絡情報のみを緊急連絡メールにより取得することができる。
【００１２】
請求項３、１１に記載の発明によれば、ユーザの現在状況として、ユーザの現在位置情報及び確認情報が報知されるので、デジタル放送受信装置の視聴者はユーザの現在位置と、緊急連絡メールを確認したか否かを確認することができ、各ユーザの安否を把握することができる。
【００１３】
請求項４に記載の発明によれば、デジタル放送受信装置から緊急連絡メールを受信すると、現在位置情報を含む返信メールをデジタル放送受信装置に送信するので、携帯端末を携帯するユーザは緊急連絡メールにより緊急連絡情報を確認することができるとともに、デジタル放送受信装置の視聴者にユーザの現在位置を知らせることができる。
【００１４】
請求項５、９に記載の発明によれば、一定時間内にメール確認操作が無い場合は現在位置情報を含む返信メールを自動作成してデジタル放送受信装置に送信するので、携帯端末のユーザが確認操作できない状態であっても、デジタル放送受信装置の視聴者に少なくともユーザの現在所在地を知らせることができる。
【００１５】
請求項６、１０に記載の発明によれば、現在位置情報及びユーザによるメール確認操作の有無を示す確認情報を含む緊急連絡メールをデジタル放送受信装置に送信するので、デジタル放送受信装置の視聴者に現在位置及び緊急連絡メールを確認したか否かを知らせることができる。
【発明を実施するための最良の形態】
【００１６】
本実施の形態では、予めデジタル放送受信装置において緊急連絡情報として通知すべき情報の種類と通知対象のユーザ情報とを登録しておき、デジタル放送受信装置において受信される放送信号に緊急連絡情報として登録された情報が含まれている場合、当該緊急連絡情報を通知する電子メール（以下、緊急連絡メールという）を作成してユーザの携帯端末に送信し、ユーザ端末からユーザの現在位置情報を含む返信メールを受信すると、当該返信メールに基づいてユーザの現在状況を示す情報を表示する例を説明する。
【００１７】
まず、構成を説明する。
図１に、本実施の形態における緊急連絡システム１００のシステム構成を示す。
図１に示すように、緊急連絡システム１００は、デジタル放送受信装置１０と、ユーザが携帯する携帯端末５０ａ〜５０ｃとが通信ネットワークＮを介して相互にデータの送受信が可能に接続されている。
以下、各装置について説明する。
【００１８】
デジタル放送受信装置１０は、放送局から番組、ホームページ等の各種コンテンツに対応する放送信号を受信し、当該放送信号に基づいて映像を表示するとともに、その表示に合わせて音声を出力しテレビジョン放映を行うものである。
図２に、デジタル放送受信装置１０の外観を示す。
図２に示すように、デジタル放送受信装置１０は、テレビ本体部１０ａと、リモートコントローラ（以下、リモコンと略す）１０ｂとを備えて構成される。
【００１９】
テレビ本体部１０ａの前面には電源のＯＮ／ＯＦＦキー１、表示ディスプレイ１４ａ、スピーカ１５、リモコン３０から送信された操作信号を受信するリモコン受信部１９が設けられている。
【００２０】
リモコン１０ｂは、テレビ本体部１０ａを遠隔操作するための操作手段であり、テレビ本体部１０ａと赤外線通信を行って操作信号を送信するリモコン送信部２、表示ディスプレイ３、視聴するチャンネルを指定するためのチャンネルキー４、チャンネルキー４の入力モードを数字、仮名文字、英文字の入力モードに切り換える文字キー５、操作指示を確定する確定キー３５、左右上下方向への移動を指示するためのカーソルキー７を備えて構成される。リモコン１０ｂは、押下されたキーに対応する操作信号を赤外線通信によりテレビ本体部１０ａに送信する。
【００２１】
また、リモコン１０ｂのチャンネルキー４の各キーには、数字、仮名文字、英文字が割り当てられており、文字入力が可能である。文字入力時には文字キー５によりチャンネルキー４の入力モードを切り換えて、チャンネルキー４を連続的に押下することにより、そのキーに割り当てられている複数の文字を切り換えて入力する文字を選択することができる。
【００２２】
図３に、テレビ本体部１０ａの内部構成を示す。
図３に示すように、テレビ本体部１０ａは、アンテナ１１ａを有するデジタル放送受信部１１、画像処理部１２，音声処理部１３、表示部１４、スピーカ１５、制御部１６、メモリ１７、入力部１８、リモコン受信部１９、通信部２０を備えて構成される。
【００２３】
デジタル放送受信部１１は、放送信号受信手段であり、アンテナ１１ａを介して受信された放送信号のうち、指定されたチャンネルに対応する放送信号を抽出し、当該抽出された放送信号に対してＯＦＤＭ（Orthogonal Frequency Division Multiplexing）方式の復調を行う。すなわち、放送信号の変調方式に対応して、ＤＱＰＳＫ（Differential Quadrature Phase Shift Keying）、ＱＰＳＫ（Quadrature Phase Shift Keying）、１６ＱＡＭ（Quadracture Amplitude Modulation）、６４ＱＡＭの４種類の方式による復調を選択的に行い、復調された放送信号から画像信号と音声信号を分離して、画像信号は画像処理部１２へ、音声信号は音声処理部１３へ出力する。
【００２４】
画像処理部１２は、デジタル放送受信部１１から入力された画像信号をＭＰＥＧ（Moving Picture Expert Group）-２方式に従って復号化し、映像データ（動画像データ）やホームページ画面、警報画面等の静止画像データを生成する。次いで、生成された画像データに各種画像処理を施した後、当該画像データを表示部１４に出力する。
【００２５】
表示部１４は、図２に示す表示ディスプレイ１４ａを備えて構成され、当該表示ディスプレイ１４ａ上に映像データを表示する。また、表示部１４は、報知手段であり、緊急連絡メールが送信されたユーザの現在状況を報知する状況報知画面を表示する。
【００２６】
音声処理部１３は、デジタル放送受信部１１から入力された音声信号をＭＰＥＧ-２方式に従って符号化し、音声データを生成する。次いで、生成された音声データに各種データ処理を施した後、当該音声データをアナログ変換し、スピーカ１５に出力する。スピーカ１５は、音声処理部１３から入力されたアナログ音声信号に基づいて音声出力を行う。
【００２７】
制御部１６は、ＣＰＵ（Central Processing Unit）、ＲＡＭ（Random Access Memory）等から構成され、メモリ１７に格納された放送制御プログラムをＲＡＭに展開し、当該プログラムに従って、デジタル放送受信装置１０の各部による動作を統括的に制御する。
【００２８】
また、制御部１６は、メモリ１７に格納された緊急連絡処理プログラムに従って、後述する緊急連絡処理（図７参照）を統括的に制御する。
緊急連絡処理では、デジタル放送受信部１１により放送信号が受信されると、当該受信された放送信号にＥＷＳによる緊急警報情報（以下、ＥＷＳ情報という）又はメモリ１７の通知登録テーブル１７１（後述する）において緊急連絡情報として指定されたマルチメディア情報が含まれるかを判別し、ＥＷＳ情報が含まれている場合は通知登録テーブル１７１で登録されている全てのユーザ宛にＥＷＳ情報を通知する緊急連絡メールを作成する。また、緊急連絡情報として指定されたマルチメディア情報が含まれていた場合は、当該指定情報を通知すべきユーザとして通知登録テーブル１７１において登録されているユーザ宛に通知情報を通知する緊急連絡メールを作成する。そして、作成された緊急連絡メールを通信部２０を介して各ユーザの携帯端末５０ａ〜５０ｃに送信させる。すわなち、制御部１６と緊急連絡処理プログラムとの協働により、メール作成手段を実現することができる。
【００２９】
そして、制御部１６は、緊急連絡メールを送信した各ユーザの携帯端末５０ａ〜５０ｃからユーザの現在位置情報及び緊急連絡メールがユーザにより確認されたか否かを示す確認情報を含む返信メールを受信すると、当該返信メールに基づいて、ユーザの現在位置情報及び緊急連絡メールの確認の有無をユーザの現在状況として報知する確認画面を表示部１４に表示させる。
【００３０】
メモリ１７は、放送制御プログラムの他、緊急連絡処理プログラム及び各プログラムで処理されたデータ等を記憶する。また、メモリ１７は、連絡ユーザ記憶手段であり、どのユーザの携帯端末にどの緊急連絡情報を通知するかが予め登録された通知登録情報である通知登録テーブル１７１を備える。
【００３１】
通知登録テーブル１７１には、図４に示すように、ユーザ名（例えば、家族で利用するのであれば“父”、“母”等）に対応付けて、そのユーザが携帯する携帯端末のメールアドレス（例えば、ユーザが父であれば“papa@xxx.com” HYPERLINK "mailto:" 等）及びユーザ毎に通知すべき緊急連絡情報の種類を指定するためのフラグ情報が格納されている。フラグ情報は、緊急連絡情報の種類（例えば、交通情報を示す“情報Ａ”、気象情報を示す“情報Ｂ”等）毎に、通知すべき情報として指定されていればフラグ“１”が、通知が不要であればフラグ“０”が格納される。
【００３２】
入力部１８は、図１に示す電源ＯＮ／ＯＦＦキー１や図示しない音量調整キー等を備え、押下されたキーに対応する操作信号を制御部１６に出力する。
【００３３】
リモコン受信部１９は、リモコン１０ｂと赤外線通信を行ってリモコン１０ｂから送信された操作信号を受信するものである。受信された操作信号は制御部１６に出力される。
【００３４】
通信部２０は、ネットワークインターフェイスカードやモデム等の通信用インターフェイスにより構成される通信手段であり、通信ネットワーク上の外部機器と各種情報の送受信を行う。例えば、通信部２０は、メールサーバに接続して電子メールの送受信を行う。
【００３５】
次に、携帯端末５０ａ〜５０ｃについて説明する。
携帯端末５０ａ〜５０ｃは、各ユーザが携帯する携帯電話、ＰＨＳ（Personal Handy-phone System）、ＰＤＡ（Personal Digital Assistant）、携帯型のＰＣ（Personal Computer）等であり、メール通信機能を有して、デジタル放送受信装置１０と電子メールのやり取りを行う。なお、携帯端末５０ａ〜５０ｃは、形状や応用機能等が異なっても基本構成は同じであるので、以下の説明では、携帯端末５０ａを代表として説明する。
【００３６】
図５に、携帯端末５０ａの内部構成を示す。
図５に示すように、携帯端末５０ａは、制御部５１、入力部５２、表示部５３、メモリ５４、通信部５５、受話部５６、送話部５７、ＧＰＳ（Global Positioning System）部５８、音出力部５９を備えて構成される。
【００３７】
制御部５１は、ＣＰＵ、ＲＡＭ等を備えて構成され、メモリ５４に格納された制御プログラムに従って携帯端末５０ａの各部を制御するとともに、本発明に係る情報通知処理プログラムをＲＡＭに展開し、当該プログラムとの協働により情報通知処理（図９参照）を統括的に制御する。
【００３８】
情報通知処理では、デジタル放送受信装置１０から緊急連絡情報（ＥＷＳ情報又は緊急連絡情報として指定されたマルチメディア情報）を含む緊急連絡メールが受信されると、緊急連絡メールが受信された旨を示すメッセージを表示部５３に表示させる等してメール着信を報知する。報知後、入力部５２を介してメール確認操作が行われると、受信された緊急連絡メールを表示させて緊急連絡情報を通知する。そして、ＧＰＳ部５８により現在位置情報を取得し、緊急連絡メールの確認操作が行われたことを示す情報と取得された現在位置情報を通知する返信メールを作成して通信部５５を介してデジタル放送受信装置１０に送信させる。一方、一定時間内にメール確認操作が行われない場合は、緊急メールの確認操作が行われていない旨を示す情報と取得された現在位置情報を通知する返信メールを作成して送信させる。すなわち、情報通知処理プログラムと制御部５１との協働により、メール作成手段を実現することができる。
【００３９】
入力部５２は、数字キー、カーソルキー、発信キー、その他各種機能キーを備え、押下されたキーに対応する操作信号を制御部５１に出力する。
【００４０】
表示部５３は、ＬＣＤ（Liquid Crystal Display）等を備え、操作画面や電子メールの表示画面、設定画面等の各種表示画面を表示する。
【００４１】
メモリ５４は、制御プログラムの他、情報通知処理プログラム及び各プログラムで処理されたデータ等を記憶する。また、電話帳データや文字変換のための辞書データ、送受信された電子メールのデータ等を記憶する。
【００４２】
通信部５５は、無線基地局との間で無線通信信号を送受信するアンテナや、ＲＦ回路、モデム等の通信インターフェイスを備えて構成される通信手段である。受話時には、アンテナを介して受信された受話音声やメールの無線通信信号をＲＦ回路、モデムにより復調して制御部５１に出力する。一方、送話時には、制御部５１から入力される送話音声や電子メールのデータをＲＦ回路、モデムにより変調しアンテナを介して無線基地局に送信する。
【００４３】
受話部５６は、制御部５１から入力される受話音声信号を受話音声に変換して出力する。送話部５７は、ユーザの送話音声を送話音声信号に変換して制御部５１に出力する。
【００４４】
ＧＰＳ部５８は、ＧＰＳアンテナにより、地球低軌道に打ち上げられた複数のＧＰＳ衛星のうち、少なくとも３個のＧＰＳ衛星から送信されるＧＰＳ信号を受信し、この受信したＧＰＳ信号に基づいて、携帯端末５０ａの絶対的な２次元の現在位置情報（緯度、経度）として検出する。すなわち、ＧＰＳ部５８により位置情報取得手段を実現することができる。
【００４５】
音出力部５９は、着信を報知するための着信音や電子メールが受信されたことを報知する報知音を出力する。
【００４６】
次に、本実施の形態における動作を説明する。
まず、図６を参照して、デジタル放送受信装置１０において緊急連絡処理を実行する前に予め行われるユーザ登録について説明する。これは、緊急連絡対象のユーザや、ユーザが有する携帯端末のメールアドレス、通知すべき緊急連絡情報の種類を登録するものである。
まず、デジタル放送受信装置１０においてユーザ登録が指示されると、図６（ａ）に示す設定画面ｄ１が表示される。設定画面ｄ１では、緊急連絡の対象者となるユーザ名の入力領域ａ１とそのユーザが携帯する携帯端末のメールアドレスの入力領域ａ２が表示される。ユーザは、この設定画面ｄ１においてリモコン１０ｂのチャンネルキー４を操作してユーザ名及びメールアドレスを文字入力し、その入力内容でよければ確定キー６を押下する。
【００４７】
各入力領域ａ１、ａ２に入力が行われ、確定キー６が押下されると、次に受信されるマルチメディア情報のうち緊急連絡情報として設定するマルチメディア情報を指定するための設定画面ｄ２（図６（ｂ）参照）が表示される。設定画面ｄ２では、デジタル放送受信装置１０で取得可能なマルチメディア情報がプルダウンメニューで一覧表示され（このプルダウンメニューの表示例は図示せず）、その一覧の中から複数選択することができる。ここでは、緊急連絡情報として鉄道が不通になったことを通知する交通情報（これを情報Ａとする）、警報を含む気象情報（これを情報Ｂとする）が設定されたこととする。
【００４８】
通知すべき緊急連絡情報候補が設定されると、図６（ｃ）に示す設定画面ｄ３が表示され、設定された緊急連絡情報のうち、ユーザ毎に通知すべき緊急連絡情報の種類が設定される。図６（ｃ）に示すように、設定画面ｄ３では、設定画面ｄ１で設定された通知対象者が一覧表示され、その対象者毎に緊急連絡情報として設定された情報Ａ、Ｂが選択可能に表示される。そして、対象者毎に通知する緊急連絡情報がユーザにより指定され、確定キー６が押下されると、メモリ１７の通知登録テーブル１７１において、設定された通知対象者のユーザ名、メールアドレスの情報が格納されるとともに、情報Ａ、Ｂの項目において通知すべき情報として指定された場合は“１”のフラグが、通知情報として指定されなかった場合は“０”のフラグが格納される。なお、ＥＷＳ情報は、登録された全ユーザに無条件で通知される指定情報として設定されていることとする。
このようにして、通知登録テーブル１７１への書き込みが終了すると、ユーザ登録を終了する。
【００４９】
次に、図７を参照して、デジタル放送受信装置１０により実行される緊急連絡処理を説明する。
図７に示す緊急連絡処理では、まずデジタル放送受信部１１において放送信号が受信されると（ステップＳ１）、当該受信された放送信号にＥＷＳの放送信号が含まれるか否かが判別される（ステップＳ２）。ＥＷＳの放送信号が含まれる場合は（ステップＳ２；Ｙ）、ステップＳ３の処理に移行し、ＥＷＳの放送信号が含まれない場合は（ステップＳ２；Ｎ）、ステップＳ１０の処理に移行する。
【００５０】
まず、ＥＷＳ放送信号が含まれる場合について説明する。
ステップＳ３では、通知登録テーブル１７１に登録されている全てのユーザ宛に、ＥＷＳ情報を通知する緊急連絡メールが作成される。そして、作成された緊急連絡メールは、登録されている全ユーザのメールアドレスに送信され（ステップＳ４）、送信が終了すると、デジタル放送受信装置１０の視聴者が、緊急連絡メールが送信されたことを確認できるように、図８（ａ）に示すような確認画面ｄ４が表示部１４に表示される（ステップＳ５）。確認画面ｄ４では、緊急メールが送信されたことを示すメッセージｂ１が表示される。
【００５１】
次いで、緊急連絡メールが送信されたユーザの携帯端末５０ａ〜５０ｃから返信メールが受信されたか否かが判別される（ステップＳ６）。返信メールが受信された場合（ステップＳ６；Ｙ）、当該返信メールがデータ解析されてメッセージが抽出される（ステップＳ７）。なお、返信メールのメッセージには、ユーザの現在位置情報及びユーザにより緊急連絡メールが確認されたか否かを示す確認情報が含まれており、ユーザによりメッセージ文が作成されている場合はそのメッセージ文が含まれる。
【００５２】
次いで、抽出されたメッセージに基づいて、図８（ａ）に示した確認画面ｄ４の表示内容が更新されて図８（ｂ）に示す確認画面ｄ５が表示され、確認画面ｄ５において返信メールが受信されたユーザ名ｂ２、そのユーザが緊急連絡メールを確認したか否かを示す確認情報ｂ３及びユーザの現在位置情報ｂ４が表示され、ユーザの現在状況が報知される（ステップＳ８）。なお、このとき、返信メールが受信されたことを報知する報知音や、“パパから返信ありました”等のように音声をスピーカ１５により出力させることとしてもよい。また、現在位置情報は、現在位置の住所を表示することとしてもよいし、地図上で現在位置を示すマーカを表示することとしてもよい。
【００５３】
確認画面を更新後、緊急連絡メールが送信されたユーザ全員から返信メールが受信されたか否かが判別され（ステップＳ９）、ユーザ全員から返信メールが受信された場合は（ステップＳ９；Ｙ）、本処理を終了し、まだユーザ全員から返信メールが受信されていない場合は（ステップＳ９；Ｎ）、ステップＳ５の処理に戻り、返信メールが受信されるたびに確認画面の更新が行われる。
【００５４】
次に、ステップＳ２において、放送信号にＥＷＳ放送信号が含まれていなかった場合について説明する。
ステップＳ１０では、放送信号に含まれるのは画像信号及び音声信号のみであったか否かが判別される。画像信号及び音声信号のみである場合は（ステップＳ１０；Ｙ）、当該画像信号及び音声信号の処理に移行し、画像信号及び音声信号のみではなく、その他マルチメディア情報が含まれる場合（ステップＳ１０；Ｎ）、マルチメディア情報に緊急連絡情報として指定された情報Ａが含まれるか否かが判別される（ステップＳ１１）。
【００５５】
緊急連絡情報として指定された情報Ａが含まれる場合（ステップＳ１１；Ｙ）、通知登録テーブル１７１において指定情報Ａを通知すべき対象者として設定されているユーザ名及びそのメールアドレスが読み出され、当該ユーザ宛に情報Ａを通知する緊急連絡メールが作成される（ステップＳ１２）。次いで、読み出されたメールアドレスに基づいて、作成された緊急連絡メールが指定情報Ａを通知すべきユーザ宛に送信され（ステップＳ１３）、ステップＳ５の処理に移行する。ステップＳ５以降の処理は前述した処理と同様であるのでここでは省略する。すなわち、緊急連絡メールが送信された全てのユーザから返信メールが受信され、返信メールに基づく登録ユーザの現在状況の報知が行われると、本処理を終了する。
【００５６】
一方、マルチメディア情報に指定情報Ａが含まれない場合（ステップＳ１１；Ｎ）、緊急連絡情報として指定された情報Ｂが含まれるか否かが判別される（ステップＳ１４）。指定情報Ｂが含まれない場合（ステップＳ１４；Ｎ）、本処理を終了して受信されたマルチメディア情報の表示処理等のその他の処理へ移行する。
【００５７】
マルチメディア情報に指定情報Ｂが含まれる場合（ステップＳ１４；Ｙ）、通知登録テーブル１７１において情報Ｂを通知すべき対象者として設定されているユーザ名及びそのメールアドレスが読み出され、当該ユーザ宛に情報Ｂを通知する緊急連絡メールが作成される（ステップＳ１５）。次いで、読み出されたメールアドレスに基づいて、作成された緊急連絡メールが指定情報Ｂを通知すべきユーザ宛に送信され（ステップＳ１６）、ステップＳ５の処理に移行する。ステップＳ５以降の処理は前述した処理と同様であるのでここでは省略する。すなわち、緊急連絡メールが送信された全てのユーザから返信メールが受信され、返信メールに応じた登録ユーザの現在状況の報知が行われると、本処理を終了する。
【００５８】
次に、図９を参照して、デジタル放送受信装置１０から緊急連絡メールが受信された携帯端末５０ａ〜５０ｃにより実行される情報通知処理を説明する。なお、各携帯端末５０ａ〜５０ｃによる処理内容は同じであるので、以下の説明では、携帯端末５０ａの動作例を代表として説明する。
【００５９】
図９に示す情報通知処理では、まずデジタル放送受信装置１０から電子メールが受信されると、当該電子メールのデータ解析が行われ、そのメッセージが抽出される。そして、このメッセージにＥＷＳ情報が含まれるか否かが判別され（ステップＳ１０１）、ＥＷＳ情報が含まれている場合（ステップＳ１０１；Ｙ）、ステップＳ１０２の処理に移行し、ＥＷＳ情報が含まれていない場合（ステップＳ１０１；Ｎ）、ステップＳ１０８の処理に移行する。
【００６０】
まず、ＥＷＳ情報が含まれている場合について説明する。
ステップＳ１０２では、ＥＷＳ情報を含む緊急連絡メールが受信された旨を報知するメッセージ又はマーク等が表示部５３に表示される、或いは報知音が音出力部５９により音出力される。次いで、ＧＰＳ部５８により現在位置情報が取得されると（ステップＳ１０３）、ユーザにより緊急連絡メールの確認操作が行われ、緊急連絡メールの表示指示が入力されたか否かが判別される（ステップＳ１０４）。
【００６１】
確認操作が行われた場合（ステップＳ１０４；Ｙ）、緊急連絡メールが表示部５３に表示される。そして、緊急連絡メールが確認された旨を示す情報とともにＧＰＳ部５８により取得された現在位置情報を含む返信メールが作成され、デジタル放送受信装置１０に送信されると（ステップＳ１０５）、本処理を終了する。なお、ユーザによりメッセージ文が入力された場合は当該メッセージ文も返信メールに含めて送信されることとする。
【００６２】
一方、ユーザにより確認操作が行われない場合（ステップＳ１０４；Ｎ）、一定時間が経過したか否かが判別される（ステップＳ１０６）。一定時間が経過していない場合（ステップＳ１０６；Ｎ）、ステップＳ１０４の処理に戻り、一定時間が経過した場合は（ステップＳ１０６；Ｙ）、ステップＳ１０７の処理に移行する。つまり、一定時間の間に確認操作があればステップＳ１０５の処理に移行し、一定時間の間に確認操作が無ければ、ステップＳ１０７の処理に移行する。
【００６３】
ステップＳ１０７では、ユーザにより緊急連絡メールの確認操作が行われていない旨を示す情報とともにＧＰＳ部５８により取得された現在位置情報を含む返信メールが作成されて、デジタル放送受信装置１０に送信され、本処理を終了する。
【００６４】
次に、ステップＳ１０１において、受信された電子メールにＥＷＳ通知情報が含まれていなかった場合について、ステップＳ１０８から説明する。
ステップＳ１０８では、電子メールに緊急連絡情報として指定された情報Ａが含まれていたか否かが判別される。指定情報Ａが含まれている場合は（ステップＳ１０８；Ｙ）、指定情報Ａを含む緊急連絡メールが受信された旨を報知するメッセージ又はマーク等が表示部５３に表示される、或いは報知音が音出力される（ステップＳ１０９）。次いで、ＧＰＳ部５８により現在位置情報が取得されると（ステップＳ１１０）、ステップＳ１０４の処理に移行する。ステップＳ１０４以降は、前述した処理と同様の処理が行われるので、ここでは説明を省略する。すなわち、ユーザからの確認操作が有ればその旨を示す情報と取得された現在位置情報を含む返信メールがデジタル放送受信装置１０に送信され、一定時間内にユーザからの確認操作が無ければその旨を示す情報と現在位置情報を含む返信メールが自動作成されてデジタル放送受信装置１０に送信され、本処理を終了する。
【００６５】
一方、電子メールに指定情報Ａが含まれていない場合は（ステップＳ１０８；Ｎ）、電子メールに緊急連絡情報として指定された情報Ｂが含まれていたか否かが判別され（ステップＳ１１１）、指定情報Ｂが含まれていない場合（ステップＳ１１１；Ｎ）、本処理を終了し、受信された電子メールの表示等、その他の処理に移行する。
【００６６】
電子メールに指定情報Ｂが含まれていた場合（ステップＳ１１１；Ｙ）、指定情報Ｂを含む緊急連絡メールが受信された旨を報知するメッセージ又はマーク等が表示部５３に表示される、或いは音出力される（ステップＳ１１２）。次いで、ＧＰＳ部５８により現在位置情報が取得されると（ステップＳ１１３）、ステップＳ１０４の処理に移行する。ステップＳ１０４以降は、前述した処理と同様の処理が行われるので、ここでは説明を省略する。すなわち、ユーザからの確認操作が有ればその旨を示す情報と取得された現在位置情報を含む返信メールがデジタル放送受信装置１０に送信され、一定時間内にユーザからの確認操作が無ければその旨を示す情報と現在位置情報を含む返信メールが自動作成されてデジタル放送受信装置１０に送信され、本処理を終了する。
【００６７】
以上のように、本実施形態によれば、予め緊急連絡情報を通知するユーザ及びそのユーザ毎に通知すべき緊急連絡情報を登録しておくことにより、デジタル放送受信装置１０において受信された放送信号に緊急連絡情報であるＥＷＳ情報又はマルチメディア情報が含まれる場合は、当該緊急連絡情報を通知する緊急連絡メールが作成され、その受信された緊急連絡情報を通知すべきユーザ宛に送信されるので、ＥＷＳ情報だけでなく、例えば大雨警報、鉄道の不通情報等のマルチメディア情報であっても緊急連絡情報として登録しておくことにより、これらのような緊急連絡情報を外出中の各ユーザに通知することができる。
【００６８】
また、緊急連絡メールが受信された各ユーザの携帯端末５０ａ〜５０ｃでは、ＧＰＳ部５８により現在位置情報が取得され、次いで一定時間内にユーザからの緊急連絡メールの確認操作が有れば当該緊急連絡メールが表示される。そして、現在位置情報及びユーザにより緊急連絡メールが確認されたか否かを示す情報を含む返信メールが作成され、デジタル放送受信装置１０に送信されるので、デジタル放送受信装置１０にユーザの現在位置情報及び緊急連絡メールの確認の有無を通知することができる。
【００６９】
また、一定時間内にユーザからの緊急連絡メールの確認操作が無い場合は、自動的に現在位置情報を含む返信メールが作成されて送信されるので、一定時間内に必ずデジタル放送受信装置１０に返信メールを送信することができる。
【００７０】
デジタル放送受信装置１０では、緊急連絡メールが送信された各ユーザから返信メールが受信されると、当該返信メールに基づいて、各ユーザの現在状況としてユーザの現在位置情報及びユーザにより緊急連絡メールが確認されたか否かを示す情報が表示されるので、デジタル放送受信装置１０の視聴者は、各携帯端末のユーザの現在状況を知ることができ、緊急事態が発生した場合でもユーザの居所や安否を確認することができる。
【００７１】
なお、本実施の形態における記述内容は、本発明を適用したデジタル放送受信装置１０、携帯端末５０ａ〜５０ｃ、緊急連絡システム１００の好適な一例であり、これに限定されるものではない。
【００７２】
例えば、上述した説明では、デジタル放送受信装置１０が起動している際に緊急連絡情報が受信された場合について説明したが、デジタル放送受信装置１０がスタンバイ状態であっても、ＥＷＳ情報又は緊急連絡情報として指定されたマルチメディア情報が受信された際に自動的に起動するような構成としてもよい。
【００７３】
また、携帯端末５０ａ〜５０ｃにＧＰＳ部５８を設け、ＧＰＳ部５８により現在位置情報を取得する構成としたが、現在位置情報の取得方法はこれに限らず、例えばＰＨＳによる位置検索システムを利用して現在位置情報を取得することとしてもよい。
【００７４】
その他、本実施の形態におけるデジタル放送受信装置１０、携帯端末５０ａ〜５０ｃ、緊急連絡システム１００の細部構成及び細部動作に関しても、本発明の趣旨を逸脱することのない範囲で適宜変更可能である。
【図面の簡単な説明】
【００７５】
【図１】本発明を適用した実施の形態における緊急連絡システム１００のシステム構成を示す図である。
【図２】デジタル放送受信装置１０を構成するテレビ本体部１０ａ及びリモコン１０ｂの外観を示す図である。
【図３】テレビ本体部１０ａの内部構成を示す図である。
【図４】図３に示すメモリ１７の通知登録テーブル１７１のデータ構成を示す図である。
【図５】携帯端末５０ａの内部構成を示す図である。
【図６】設定画面例を示す図であり、（ａ）は緊急連絡する対象ユーザを設定するための設定画面、（ｂ）は通知情報を指定するための設定画面、（ｃ）はどのユーザにどの指定情報を通知するかを設定するための設定画面である。
【図７】デジタル放送受信装置１０により実行される緊急連絡処理を説明するフローチャートである。
【図８】緊急連絡処理時に表示されるメール送信の確認画面を示す図であり、（ａ）は緊急連絡メールを送信した後の確認画面、（ｂ）は返信メールが受信された際にユーザの現在状況を報知する確認画面を示す図である。
【図９】携帯端末５０ａにより実行される情報通知処理を説明するフローチャートである。
【符号の説明】
【００７６】
１００    情報通知処理システム
１０    デジタル放送受信装置
１０ａ    テレビ本体部
１１    デジタル放送受信部
１２    画像処理部
１３    音声処理部
１４    表示部
１５    スピーカ
１６    制御部
１７    メモリ
１７１    通知登録テーブル
１８    入力部
１９    リモコン受信部
２０    通信部
１０ｂ    リモコン
５０ａ〜５０ｃ    携帯端末
５１    制御部
５２    入力部
５３    表示部
５４    メモリ
５５    通信部
５６    受話部
５７    送話部
５８    ＧＰＳ
【図１】
2005198079.tif 000003
【図２】
2005198079.tif 000004
【図３】
2005198079.tif 000005
【図４】
2005198079.tif 000006
【図５】
2005198079.tif 000007
【図６】
2005198079.tif 000008
【図７】
2005198079.tif 000009
【図８】
2005198079.tif 000010
【図９】
2005198079.tif 000011